(57)【要約】【課題】所定の文字列を含む画像データを自動的に記録し、記録した画像データを利用者に配信する画像表示装置及び画像送信方法を提供する【解決手段】映像出力処理部３は、チューナ２から入力されるテレビ放送の映像信号や、外部信号受信部５でＡＶ機器５１から読み出されたＤＶＤ等の映像信号を取得する。次に、画像データ取得部６１は、映像出力処理部３の映像信号から１フレーム分ずつ画像データを取得する。そして文字認識部６２は、取得された画像データに文字認識処理を行う。文字照合部６３は、文字認識部６２が抽出した文字列と所定の照合キーとを照合して、文字列がその照合キーに相当するか判断する。画像データ保存処理部６５は、照合キーに相当すると判断された文字列を含む画像データを画像データ記憶部６７に保存する。通信部６４は、画像データを、通信接続部７を介してインターネット経由で携帯電話７１に電子メールで送信する。【選択図】図1
2009194494.tif 000002
【特許請求の範囲】
【請求項１】
入力された画像データに基づき画像を表示する画像表示装置であって、
前記画像データに含まれる特定データが予め登録された照合キーに相当するとき、予め登録された送信先に前記画像データ又は加工された前記画像データを送信する送信手段を備えることを特徴とする画像表示装置。
【請求項２】
前記画像データを取得する画像データ取得手段と、
取得された前記画像データから前記特定データを抽出する認識手段と、
抽出された前記特定データと前記照合キーとを照合する照合手段と、
を備え、
前記送信手段は、抽出された前記特定データが前記照合キーに相当するときに、前記送信先に前記画像データ又は加工された前記画像データを送信することを特徴とする請求項１に記載の画像表示装置。
【請求項３】
前記照合キーは、予め登録された文字列、前記照合キーに関連する予め登録された文字列、又は所定のマークや形状であることを特徴とする請求項１又は請求項２に記載の画像表示装置。
【請求項４】
前記画像データに含まれる前記特定データが前記照合キーに相当するとき前記画像データを保存する画像データ保存処理手段を備えたことを特徴とする請求項１乃至請求項３のいずれか１項に記載の画像表示装置。
【請求項５】
著作権情報、又前記画像データの取得元特定情報を前記画像データに付加することを特徴とする請求項１乃至４のいずれか１項に記載の画像表示装置。
【請求項６】
保存された前記画像データを編集する画像データ加工手段を備えたことを特徴とする請求項１乃至５のいずれか１項に記載の画像表示装置。
【請求項７】
入力された画像データに基づき画像を表示する画像表示装置の画像送信方法であって、
前記画像データに含まれる特定データが予め登録された照合キーに相当するときに、予め登録された送信先に前記画像データ又は加工された前記画像データを送信するステップを有することを特徴とする画像表示装置の画像送信方法。
【請求項８】
前記画像データを取得する画像データ取得ステップと、
取得された前記画像データから特定データを抽出する認識ステップと、
抽出された前記特定データと前記照合キーとを照合する照合ステップと、
抽出された前記特定データが前記照合キーに相当するときに予め登録された送信先に前記画像データ又は加工された前記画像データを送信するステップと、
を有することを特徴とする請求項７に記載の画像表示装置の画像送信方法。
【発明の詳細な説明】
【技術分野】
【０００１】
本発明は、テレビ放送等の画像を取得する画像表示装置及び画像送信方法に関する。
【背景技術】
【０００２】
従来、テレビ等を視聴する視聴者が、テレビ番組やＣＭ（コマーシャル）で紹介された情報に興味を持ったときに、その情報を記録しようとしても、紙や磁気ディスク等に記録しそびれることがあった。
【０００３】
そこで、特許文献１では、利用者端末からのキャプチャ要求を受けて、放送画面をキャプチャし、キャプチャした画面に対する利用者端末からの表示要求を受けて、キャプチャした画面を表示する双方向テレビ用宣伝広告システムの技術が開示されている。
【０００４】
特許文献１に開示の技術によれば、視聴者は、紙に書き留めたり、磁気ディスク等に録画したりするための準備に手間取ることなく、気軽に素早く興味のある情報を記録することができる。
【特許文献１】特開2002-341805号公報
【発明の開示】
【発明が解決しようとする課題】
【０００５】
しかし、特許文献１の技術では、放送画面をキャプチャする要求送信のタイミングが利用者に委ねられることから、利用者の判断が遅れて興味のある情報を記録しそびれる虞がある。
また、送信する画像の著作権情報に関する配慮が何らなされていない。
【０００６】
本発明は上記課題に鑑みてなされたものであり、予め登録された照合キーに相当する特定データが含まれる画像データを自動的に送信先に配信する画像表示装置及び画像送信方法を提供することを目的とする。
【課題を解決するための手段】
【０００７】
本発明の画像表示装置は、入力された画像データに基づき画像を表示する画像表示装置において、前記画像データに含まれる特定データが予め登録された照合キーに相当するとき、予め登録された送信先に前記画像データ又は加工された前記画像データを送信する送信手段を備えることを特徴とする。
また、画像表示装置は、前記画像データを取得する画像データ取得手段と、取得された前記画像データから前記特定データを抽出する認識手段と、抽出された前記特定データと前記照合キーとを照合する照合手段と、を備え、前記送信手段は、抽出された前記特定データが前記照合キーに相当するときに、前記送信先に前記画像データ又は加工された前記画像データを送信してもよい。
また、前記照合キーは、予め登録された文字列、前記照合キーに関連する予め登録された文字列、又は所定のマークや形状であってもよい。
また、前記画像データに含まれる前記特定データが前記照合キーに相当するとき前記画像データを保存する画像データ保存処理手段を備えてもよい。
また、著作権情報、又前記画像データの取得元特定情報を前記画像データに付加してもよい。
また、保存された前記画像データを編集する画像データ加工手段を備えてもよい。
また、本発明の画像表示装置の画像送信方法は、入力された画像データに基づき画像を表示する画像表示装置の画像送信方法であって、前記画像データに含まれる特定データが予め登録された照合キーに相当するときに、予め登録された送信先に前記画像データ又は加工された前記画像データを送信するステップを有することを特徴とする。
また、画像送信方法は、前記画像データを取得する画像データ取得ステップと、取得された前記画像データから特定データを抽出する認識ステップと、抽出された前記特定データと前記照合キーとを照合する照合ステップと、抽出された前記特定データが前記照合キーに相当するときに予め登録された送信先に前記画像データ又は加工された前記画像データを送信するステップとを有してもよい。
【発明の効果】
【０００８】
本発明は、予め登録された照合キーに相当する特定データが含まれる画像データを自動的に送信先に配信することができる。
【発明を実施するための最良の形態】
【０００９】
本実施形態では、画像表示装置としてよく利用されているテレビジョン受像機に本発明を適用した例を説明する。
まず、図１を参照して本実施形態のテレビジョン受像機Ｘの構成を説明する。図１はテレビジョン受像機Ｘの構成を示す機能ブロック図である。
【００１０】
テレビジョン受像機Ｘは、アンテナ１から入力されるテレビジョン信号を選局し、復調し、デコードするチューナ２と、チューナ２でデコードされた映像信号を表示部４に表示可能な形式に処理して出力する映像出力処理部３と、映像出力処理部３から出力された映像信号を表示する表示部４と、ＤＶＤ（Digital Versatile Disk）装置などのＡＶ（Audio Visual）機器５１やリモコン５２等の外部機器からの出力を取得する外部信号受信部５と、インターネットにＬＡＮ（Local  Area  Network）接続可能な通信接続部７とを備える。さらに、テレビジョン受像機Ｘは、本実施形態において特徴的な機能を実現するために画像データ処理制御部６を備える。
【００１１】
まず、チューナ２は、アンテナ１から入力されるテレビジョン信号を選局して、復調、誤り訂正、多重分離、デコード等の処理を行ってデコードした映像信号を映像出力処理部３に出力する。
【００１２】
次に映像出力処理部３は、チューナ２から入力される映像信号または外部信号受信部５から入力されるＡＶ機器５１の映像信号を表示部４の表示形式に変更して表示部４に出力する。
【００１３】
ここで、画像データ処理制御部６は、画像データ取得部６１と、文字認識部６２と、文字照合部６３と、通信部６４と、画像データ保存処理部６５と、画像データ加工部６６と、画像データ記憶部６７と、設定データ登録部６８とを有する。
【００１４】
次に、画像データ取得部６１は、映像出力処理部３の映像信号から１フレーム分の画像データを取得する。なお、文字列は所定時間連続して表示されることが多いので、画像データ取得部６１は、例えば１０フレーム分の画像データを取得して、次の１０フレーム分の画像データを取得しないという動作を交互に繰り返しながら画像データを取得するとよい。また、ＭＰＥＧ（Moving Picture Experts Group）の動画像は、Ｉピクチャ、Ｐピクチャ、Ｂピクチャの３種類の画像データのグループ（ＧＯＰ）から構成されている。そこで動画復号の際にベースとなるＩピクチャのみを文字列照合の対象画像データとしてもよい。これにより、後述の文字認識部６２が文字認識処理する画像データ数を減らすことができ、処理速度が速くなる。なお、以下で「文字列」とは複数文字だけでなく１文字の場合を含む。
【００１５】
次に、文字認識部６２は、取得された画像データから文字列を取得するために、公知の技術により文字認識処理を行う。また、文字列は位置に変化が少ないことが多いため、文字認識部６２は、例えば１０フレーム間の画像データから動きに変化のない部分を検出してその部分に文字認識処理を行ってもよい。なお、画像データ取得部６１の画像データ取得速度より、文字認識部６２の文字認識速度が遅い場合、画像データ取得部６１が取得した画像データをバッファに蓄積して、文字認識部６２はバッファから画像データを取得して文字認識処理を行うと良い。
【００１６】
文字認識部６２によって画像データから文字列が取得されると、文字照合部６３は、設定データ登録部６８から読み出した照合キーと画像データの特定データである文字列とを照合する。文字照合部６３は、画像データの文字列と照合キーとが一致する場合や、画像データの文字列に照合キーが含まれる場合等に、画像データの文字列を照合キーに相当すると判断する。また、文字照合部６３は、照合キーの類語等を集めた関連辞書等を用いて、その関連辞書内の照合キーと対応する文字列に画像データの文字列が一致する場合や含まれる場合等を照合キーに相当すると判断してもよい。
【００１７】
文字照合部６３が照合キーに相当すると判断した場合、画像データ保存処理部６５は、その文字認識された文字列を有する画像データに所定の保存処理を行って、画像データ記憶部６７に保存する。所定の保存処理とは、具体的には、画像データに「データサイズの圧縮」、「著作権情報の追加」、及び「テレビのシリアルナンバーの追加」の各処理等である。以下、各処理について説明する。
【００１８】
「データサイズの圧縮」：
まず、画像データ保存処理部６５は、携帯電話７１で表示可能なデータサイズに、画像データの画素数やサイズ等を変更する。これは、本実施形態において携帯電話７１で画像を表示するものとして説明するからである。なお、データサイズは、一般的に携帯電話７１で表示可能とされているサイズを予め設定してもよいし、ユーザから指定を受けてもよい。
【００１９】
「著作権情報の追加」：
次に、画像データ保存処理部６５は、画像の著作権情報として、例えば、放送事業者や著作者名、作品名等を合成や電子透かし等の技術により画像データに付加する。これにより、著作権者の著作物の保護を図ることができる。
【００２０】
「シリアルナンバーの追加」：
次に、画像データ保存処理部６５は、画像データの取得元情報として、テレビジョン受像機Ｘの製造番号であるシリアルナンバーを合成や電子透かし等の技術により画像データに付加する。これにより、画像が流出した場合に画像データに追加されたテレビジョン受像機Ｘのシリアルナンバーを調べて流出元を特定できる。なお、シリアルナンバーではなく、設定データ登録部６８に登録された送信先のメールアドレスや、Ｂ−ＣＡＳ（ビーキャス）カードのＩＤ（Identification）を画像データに追加しても良い。
【００２１】
このように、著作権情報やシリアルナンバーなどを画像データに付与することで、著作権に配慮することができる。また、電子透かしの技術によれば、画像に著作権情報やシリアルナンバーが表記されないので見た目がよい。さらに、画像が利用者以外に流出した場合でも、流出した画像に付与されたシリアルナンバー等を基に利用者を特定して、適切な管理を促すことができる。
【００２２】
なお、画像データ記憶部６７は、ＲＯＭ（Read Only Memory）や、ＲＡＭ（Random Access Memory）、フラッシュメモリ、ＨＤＤ（Hard Disk Drive）等よりなる画像データを保存するための記憶装置である。また、画像データ記憶部６７は、バッファメモリであってもよい。また、画像データ記憶部６７は、外付けや取外し可能に構成されてもよい。
【００２３】
次に、通信部６４は保存された画像データを携帯電話７１に送信する。通信部６４は、設定データ登録部６８から読み出した携帯電話７１のメールアドレス宛に、インターネット経由で、画像データ記憶部６７に保存された画像データを送信する。そして、携帯電話７１は、受信した電子メールに添付された画像を表示する。
【００２４】
また、通信部６４は、電子メールの代わりに高速赤外線通信（ＩｒＳＳ）やＵＳＢ（Universal Serial Bus）接続によるデータ転送を利用して画像データを携帯電話７１に送信してもよい。この場合、インターネットを使用しないため、画像データやメールアドレスが第三者に漏れることがなく安全である。また、テレビジョン受像機ＸにＨＴＴＰ（Hypertext  Transfer  Protocol）サーバ機能を付与することにより、画像データ記憶部６７に保存された画像データによる画像をＷｅｂ（World  Wide  Web）ブラウザで閲覧可能としてもよい。ただし、この場合、携帯電話７１からのみ閲覧可能とする。
【００２５】
なお、画像データの送信先を携帯電話７１とするのは、抽出した画像データを外部に持ち運び可能かつ表示できる装置として携帯電話７１が簡便だからである。つまり、画像データの送信先は携帯電話７１に限定されるものではなく、例えば画像を表示可能なゲーム機や音楽再生装置であってもよい。ただし、電子メールを利用しない場合、データ受信のために装置のアプリケーションを起動する等の準備が必要となることがあるので、操作性の点からメール受信機能を有している装置が望ましい。
【００２６】
また、設定データ登録部６８は、フラッシュメモリ等の記憶装置であり、利用者が興味のある1つ以上の照合キーや抽出した画像データの送信先である携帯電話７１のメールアドレスを記憶する。ここで、照合キーとは、キーワード等であり、映像出力処理部３から取得された画像データが保存すべき画像データであるか否かの判断に用いられる。また、登録可能な送信先のメールアドレス数は、１つから３つ位を限度とすることが望ましい。これは、むやみに画像が配布等されないよう画像の著作権を保護するためである。また、設定データ登録部６８の登録内容は、利用者がリモコン５２等のユーザインターフェースを介して登録変更可能とする。
【００２７】
また、画像データ加工部６６は、利用者の任意のタイミングでリモコン５２等を介して呼び出され、画像データ記憶部６７に保存されている画像データを編集する。画像データ加工部６６は、画像データ編集のための各種のツールを備えるパレットメニューを有するプログラムである。パレットメニューは、例えば画像に文字を書く鉛筆ツールや、画像を消す消しゴムツールや、絵等をスタンプするスタンプツール等からなる。
【００２８】
また、リモコン５２はタッチパネルを備え、少なくとも「画像閲覧ボタン」、「画像送信ボタン」、「画像加工ボタン」、及び「画像即時保存ボタン」を有する。ここで、「画像閲覧ボタン」は、画像データ記憶部６７に保存されている画像データを映像出力処理部３で縮小して、画像一覧を表示部４に表示させる機能を有する。また、「画像送信ボタン」は、画像閲覧ボタンの機能により一覧表示された画像の内、任意の画像データを携帯電話７１へ送信させる機能を有する。また、「画像加工ボタン」は、画像データ加工部６６を呼出し、画像閲覧ボタンの機能により一覧表示された画像の内、任意の画像データを画像データ加工部６６の備えるパレットメニューにより、リモコン５２のタッチパネルを介して加工（編集）する機能を有する。また、「画像即時保存ボタン」は、設定データ登録部６８に登録された照合キーに関係なく、画面に表示された画像を即時に画像データ記憶部６７に保存して携帯電話７１へ送信させる機能を有する。
【００２９】
リモコン５２のこれらのリモコン信号は外部信号受信部５で受信される。そして、外部信号受信部５は、リモコン信号の受信を検知すると、受信した信号の指示する動作をするようテレビジョン受像機Ｘの各部に指示を伝える。なお、携帯電話７１がリモコン５２の機能を兼ね備えていても良い。
【００３０】
次に、図２を参照して、テレビジョン受像機Ｘの動作を説明する。図２はテレビジョン受像機Ｘの動作を示すフローチャートである。なお、利用者が興味のある照合キーと画像データの送信先である携帯電話７１のメールアドレスとは、予め設定データ登録部６８に登録されているものとする。
【００３１】
まず、画像データ取得部６１は、映像出力処理部３から映像信号を取得可能であるか判断する（ステップａ１）。画像データ取得部６１は、映像出力処理部３から映像信号を取得できると判断した場合（ステップａ１のＹｅｓ）、映像出力処理部３の映像信号からフレーム（画面）毎の画像データを取得する（ステップａ２）。一方、画像データ取得部６１は、映像出力処理部３から映像信号を取得できないと判断した場合（ステップａ１のＮｏ）、処理を終了する。
【００３２】
次に、ステップａ２において画像データ取得部６１が画像データを取得すると、文字認識部６２は、取得した画像データから文字列を取得可能か、つまり文字列が含まれているか確認する（ステップａ３）。
【００３３】
文字認識の結果、文字認識部６２が画像データから文字列を取得できた場合（ステップａ３のＹｅｓ）、文字照合部６３は、設定データ登録部６８から読み出した照合キーと画像データの文字列とを照合し、文字列が照合キーに相当するか判断する（ステップａ４）。
【００３４】
文字照合部６３で文字列が照合キーに相当すると判断された場合（ステップａ４のＹｅｓ）、画像データ保存処理部６５はその画像データを画像データ記憶部６７に保存する（ステップａ５）。その際に、画像データ保存処理部６５は、保存する画像データに対して「データサイズの圧縮」、「著作権情報の追加」、及び「シリアルナンバーの追加」の各処理（画像データ保存処理）を施す（ステップａ５）。ここで、図３を参照して、画像データ保存処理部６５の画像データの保存処理を説明する。図３は、画像データ保存処理部６５の画像データ保存処理のフローチャートである。
【００３５】
まず、画像データ保存処理部６５は、画像データのデータサイズ圧縮処理として、携帯電話７１で表示可能なデータサイズに、画像データの画素数やサイズ、容量を圧縮する。（ステップａ５１）。次に、画像データ保存処理部６５は、画像の著作権情報の追加処理として、例えば著作者名及び作品名等を合成や電子透かし等の技術により画像データに追加する（ステップａ５２）。次に、画像データ保存処理部６５は、テレビジョン受像機Ｘの製造番号であるシリアルナンバーを合成や電子透かし等の技術により画像データに追加する（ステップａ５３）。
【００３６】
次に、画像データ保存処理部６５は、画像データ記憶部６７に既に所定枚数以上、例えば１００枚以上の画像データを保存済みであるか否かを確認する（ステップａ５４）。この枚数は、画像データ記憶部６７の記憶容量を考慮したためであり、記憶容量に応じて適宜設定すればよい。画像データ保存処理部６５は、１００枚以上の画像データがあると判断した場合（ステップａ５４のＹｅｓ）、画像データ記憶部６７内で最も過去に保存された画像データ、つまり一番古い画像データを削除する（ステップａ５５）。画像データ保存処理部６５は、ステップａ５５で画像データを削除した後、またはステップａ５４のＮｏで１００枚以上の画像データがないと判断した場合に、画像データを画像データ記憶部６７に保存し（ステップａ５６）、処理を終了する。
【００３７】
以上、図３で説明したように、図２のステップａ５で、画像データ保存処理部６５が画像データ保存処理を終えると、図２のステップａ１に戻り、上述した処理を映像出力処理部３から映像信号を取得できる間繰り返す。
【００３８】
以上の処理により、テレビジョン受像機Ｘは登録された照合キーに相当する文字列を有する画像データを自動的に取得して画像データ記憶部６７に保存する。この処理によれば、例えば、「応募」を照合キーとして入力しておけば、懸賞等の情報を自動的に記録して収集することができる。また、上記処理では、画像データに特定データとして所定の文字列が含まれるときに、その画像データを保存した。この特定データは文字列に限らず所定のマークや形状等であってもよく、それらが含まれるときに画像データを保存してもよい。この場合、上記照合キーは文字列に限らずこれら特定データに対応する所定のマークや形状等が登録される。例えば、興味のある芸能人の顔写真等を特定データとして設定データ登録部６８に登録しておき、その顔写真の特徴量等に該当すると判断した画像データを自動的に画像データ記憶部６７に保存するとよい。この場合、興味のある芸能人がテレビ番組等に出演する場合に、その画像データを自動的に保存して収集することができる。
【００３９】
次に、図４を参照して、画像データ記憶部６７に保存された画像データを通信部６４が送信する処理について説明する。図４は、画像データ送信処理のフローチャートである。なお、携帯電話７１に送信される画像データには、画像データ保存処理部６５で著作権情報等が追加されているので、画像の著作権の保護を図ることができる。
【００４０】
まず、外部信号受信部５は、リモコン５２の「画像閲覧ボタン」が押下されたことを検知すると（ステップｂ１）、画像データ処理制御部６に画像一覧の表示を指示する（ステップｂ２）。指示を受けた画像データ処理制御部６は、画像データ記憶部６７に保存された画像データがあるか確認する（ステップｂ３）。画像データ処理制御部６は、画像データがあると判断した場合（ステップｂ３のＹｅｓ）、画像データ記憶部６７に保存されている画像データを映像出力処理部３で縮小して、画像一覧を表示部４に表示させる（ステップｂ４）。利用者は、リモコン５２等を用いて画像一覧から任意の画像データを選択する（ステップｂ５）。
【００４１】
次に外部信号受信部５は、リモコン５２の「画像送信ボタン」が押下されたか否かを検知する（ステップｂ６）。外部信号受信部５は、リモコン５２の「画像送信ボタン」が押下されたことを検知すると（ステップｂ６のＹｅｓ）、通信部６４に画像データ処理制御部６を介して、選択された画像データの送信を指示する（ステップｂ７）。指示を受けた通信部６４は、選択された画像データに著作権情報を表記する（ステップｂ８）。
【００４２】
なお、ステップｂ８で通信部６４が著作権情報を表記する処理において、著作権情報を表示するための帯（領域）を画像データに設けて、その帯に著作権情報を表記すると、画像データの流出や不正コピー等の抑止につながるので好適である。また、ここでさらに、画像データにコピー防止や転送防止の設定を行ってもよい。
【００４３】
次に通信部６４は、設定データ登録部６８から画像データの送信先を読み出し、通信接続部７を介して携帯電話７１に画像データを送信する（ステップｂ９）。通信部６４は送信済みの画像データを画像データ記憶部６７から削除する（ステップｂ１０）。
【００４４】
画像データ記憶部６７に保存された画像データがない場合や（ステップｂ３のＮｏ）、「画像送信ボタン」が所定時間経過しても押下されなかった場合や（ステップｂ６のＮｏ）、送信済みの画像データが画像データ記憶部６７から削除された後に（ステップｂ１０）、本フローチャートに示す一連の処理を終了する。
【００４５】
以上の処理によれば、利用者は画像データ記憶部６７に保存された画像データから所望の画像データを選択して携帯電話７１に送信させることができるので、利用者は、複数枚ある画像データを選別して好みの画像を取得することができる。
【００４６】
なお、通信部６４は、画像データ保存処理部６５が画像データ記憶部６７に画像データを保存する度に、保存された画像データを携帯電話７１に送信しても良い。この場合、画像データ取得部６１は画像データを取得しない時間を長めに取るほうがよい。これは、同様な画像データを何枚も保存させないためである。また、抽出した文字列を比較して、同一文字列を含む画像データが送信済みであれば、その画像データは送信しないようにしてもよい。
【００４７】
また、図４のステップｂ５で選択された画像データに加工処理を施しても良い。ここで、リモコン５２の「画像加工ボタン」を用いて画像データ記憶部６７に保存された画像データを加工する処理について説明する。
【００４８】
表示された画像一覧から任意の画像データが選択され、画像データ加工する旨の指示がリモコン５２等から出力されると、画像データ加工部６６は、パレットメニューを表示部４の画面左側に表示し、指定された画像データによる画像を画面右側に表示させる。
【００４９】
図５は、加工する画像データが選択されて表示部４の画面に表示されたときのイメージ図である。図５では、画面左側のパレット領域に、鉛筆ツールと消しゴムツールとスタンプツールとを表示し、画面右側の画像描画領域に、選択された画像データによる画像を表示している。
【００５０】
画像データ加工部６６は、表示部４の画面と同様の画面をリモコン５２のタッチパネルに表示する。タッチパネルに表示されたパレットメニューの各ツールは、押下されることで選択され、また、画像上の領域で押下された箇所に選択されたツールの効果を合成する。画像データ加工部６６は所定の画像データ加工を終えると加工した画像データを上書き保存する。
【００５１】
以上説明したように、利用者にとって興味のある画像を編集可能とすることで、利用者の画像に対する興味の程度を増加させることができる。
【００５２】
次に、リモコン５２の「画像即時保存ボタン」の機能の処理について説明する。「画像即時保存ボタン」は、画像データ記憶部６７に保存済みであって、照合キーに相当する文字列を含む画像データを携帯電話７１に送信する機能であったが、「画像即時保存ボタン」は照合キーに関係なく、現在、表示部４の画面に表示されている画像を取得して携帯電話７１に送信する機能である。ここで、送信される画像データは、表示部４の画面の画像から数フレーム遅れた後の画像データであるが、画像間に特別な変化はないため同じものとして説明する。
【００５３】
図６はリモコン５２の備える「画像即時保存ボタン」の処理のフローチャートである。図６を参照して画像送信ボタンが押下された場合のテレビジョン受像機Ｘの動作を説明する。
【００５４】
まず、外部信号受信部５は、リモコン５２からリモコン信号を受信して「画像即時保存ボタン」が押下されたことを検知する（ステップｃ１）。次に外部信号受信部５は、映像出力処理部３の映像信号から即時に画像データを取得するよう画像データ処理制御部６を介して画像データ取得部６１に指示する（ステップｃ２）。
【００５５】
画像データ取得部６１は、映像出力処理部３の映像信号から画像データを取得する（ステップｃ３）。次に文字認識部６２は、画像データ取得部６１が取得した画像データに文字認識処理を施す（ステップｃ４）。
【００５６】
文字認識部６２が文字認識処理して文字列が含まれると判断した場合（ステップｃ４のＹｅｓ）、文字照合部６３は、設定データ登録部６８の照合キーと文字認識部６２が取得した文字列とを照合し、文字列が照合キーに相当するか否かを判断する（ステップｃ５）。
【００５７】
文字列が照合キーに相当しないと判断した場合（ステップｃ５のＮｏ）、文字照合部６３はその文字列を照合キーとして設定データ登録部６８に登録するかどうか確認する画面を表示する（ステップｃ６）。利用者のリモコン５２の操作等により、登録する旨の応答を得た場合（ステップｃ６のＹｅｓ）、文字照合部６３はその文字列を照合キーとして設定データ登録部６８に登録する（ステップｃ７）。
【００５８】
ステップｃ４のＮｏで文字認識できず文字列を取得できなかった場合や、ステップｃ５のＹｅｓで照合キーに相当する文字列だった場合、またステップｃ６のＹｅｓで新たに文字列を照合キーに登録した場合の後に、画像データ保存処理部６５は、画像データに上述した画像データ保存処理を行い、画像データ記憶部６７に画像データを保存する（ステップｃ８）。
【００５９】
通信部６４は、「画像即時保存ボタン」押下の指示によって取得した画像データを画像データ記憶部６７から読み出し、画像の著作権情報を表記する（ステップｃ９）。そして通信部６４は設定データ登録部６８に登録された携帯電話７１のメールアドレスに通信接続部７を介して送信する（ステップｃ１０）。通信部６４は、送信済みの画像データを画像データ記憶部６７から削除する（ステップｃ１１）。
【００６０】
以上説明したように、「画像即時保存ボタン」の機能によれば、照合キーとして登録されているかいないかにかかわらず、画像データを即時に携帯電話７１に送信することができる。また、「画像即時保存ボタン」の機能によって取得した画像データが照合キーに相当しない文字列を有する場合、その文字列を照合キーとして簡易に登録することができる。
【００６１】
以上、本実施形態において、テレビ放送から画像データを抽出して携帯電話７１に配信する動作を説明したが、抽出する画像データはテレビ放送に限定されない。例えば、映像出力処理部３は、外部信号受信部５から入力されるＡＶ機器５１から読み出したＤＶＤ等の映像データを取得できる。この場合、映像出力処理部３のＤＶＤ等の映像信号に対して、画像データ処理制御部６の各機能によって、照合キーに相当する画像データを自動的に保存して、送信することができる。
【００６２】
また、本実施形態では、映像出力処理部３の映像信号から画像データ取得部６１が画像データを取得するので、表示部４の電源が入っていなくても映像出力処理部３に映像信号が入力されていれば画像データを取得できる。そのため、例えばタイマ予約した番組を録画している場合にも、照合キーを含む画像データを画像データ記憶部６７に保存等することができる。この場合、利用者は、画像データ記憶部６７に保存された画像データを確認することで、興味のある情報が録画された番組がどれであるか複数の録画番組から選ぶことができる。
【００６３】
また、本実施形態において、通信部６４は送信済みの画像データを画像データ記憶部６７から削除する処理としたが、画像データ記憶部６７の容量に余裕があれば削除しなくても良い。この場合、携帯電話７１が送信された画像データを誤って削除した場合でも、リモコン５２の「画像送信ボタン」の機能によって同一の画像データの再受信が可能となる。
【００６４】
本発明は上述した実施の形態に限定されるものではなく、本発明の趣旨を逸脱しない範囲で種々様々に変更が可能であることは言うまでもない。
【産業上の利用可能性】
【００６５】
本発明は、デジタルカメラで撮像された画像をテレビ画面に表示する場合等の利用形態に適用することができる。
【図面の簡単な説明】
【００６６】
【図１】本発明の実施形態に係るテレビジョン受像機の構成を示す機能ブロック図である。
【図２】本発明の実施形態に係るテレビジョン受像機の動作を示すフローチャートである。
【図３】本発明の実施形態に係るテレビジョン受像機の画像データ保存処理部の保存処理動作を示すフローチャートである。
【図４】本発明の実施形態に係るテレビジョン受像機の画像データ送信処理の動作を示すフローチャートである。
【図５】本発明の実施形態に係る画像データ加工部の画像データ加工処理画面のイメージ図である。
【図６】本発明の実施形態に係るテレビジョン受像機の画像即時送信の動作を示すフローチャートである。
【符号の説明】
【００６７】
１・・・アンテナ
２・・・チューナ
３・・・映像出力処理部
４・・・表示部
５・・・外部信号受信部
５１・・ＡＶ機器
５２・・リモコン
６・・・画像データ処理制御部
６１・・画像データ取得部
６２・・文字認識部
６３・・文字照合部
６４・・通信部
６５・・画像データ保存処理部
６６・・画像データ加工部
６７・・画像データ記憶部
６８・・設定データ登録部
７・・・通信接続部
７１・・携帯電話
Ｘ・・・テレビジョン受像機（画像表示装置）
【図１】
2009194494.tif 000003
【図２】
2009194494.tif 000004
【図３】
2009194494.tif 000005
【図４】
2009194494.tif 000006
【図５】
2009194494.tif 000007
【図６】
2009194494.tif 000008